(57)【要約】  本発明は、反射表示デバイスで使用する駆動回路である。好ましい実施形態において、表示デバイスは、画素化されたアクティブマトリクスエレクトロクロミックデバイスである。本発明の回路は、サンプリングコンデンサおよび複数のインバータを含む。このサンプリング回路は、迅速にデータ電圧を格納する。アクティブマトリクスにおける複数のエレクトロクロミック画素のアドレス指定は、それによって加速される。インバータは、エレクトロクロミック画素を格納されたデータ電圧に迅速に駆動するために、比較的高電源および低電源に結合される。本発明の回路は、アクティブマトリクスにおけるエレクトロクロミック画素の迅速なリフレッシュを可能にし、かつエレクトロクロミック画素を白くするかつ再充電することなく色勾配を達成する。
2010518456.tif 000002
【特許請求の範囲】
【請求項１】
反射表示画素を充電する方法であって、
前記反射表示画素にデータ信号を提供することと、
前記データ信号を格納することと、
前記反射表示画素を電気的に絶縁することと、
駆動信号を生成するために前記データ信号を増幅することと、
前記反射表示画素の電位が前記格納されたデータ信号と等しくなるまで、前記駆動信号を前記反射表示画素に提供することとを含むことを特徴とする方法。
【請求項２】
前記反射表示画素は、エレクトロクロミック画素であることを特徴とする請求項１に記載の方法。
【請求項３】
前記エレクトロクロミック画素は、アクティブマトリクスエレクトロクロミック表示器に含まれることを特徴とする請求項２に記載の方法。
【請求項４】
前記エレクトロクロミック画素は、トランジスタを用いて前記アクティブマトリクスから電気的に絶縁されることを特徴とする請求項３に記載の方法。
【請求項５】
前記アクティブマトリクスは、選択ラインおよびデータラインを含み、前記データ信号は、前記データラインを用いて前記エレクトロクロミック画素に提供されることを特徴とする請求項４に記載の方法。
【請求項６】
前記データ信号は、コンデンサに格納されることを特徴とする請求項１に記載の方法。
【請求項７】
前記データ信号は、前記駆動信号を生成するために複数のインバータによって増幅されることを特徴とする請求項１に記載の方法。
【請求項８】
前記複数のインバータそれぞれは、電圧プルアップデバイスおよび電圧プルダウンデバイスを備えることを特徴とする請求項７に記載の方法。
【請求項９】
前記電圧プルアップデバイスはｐ型トランジスタであり、かつ前記電圧プルダウンデバイスはｎ型トランジスタであることを特徴とする請求項８に記載の方法。
【請求項１０】
各電圧プルアップデバイスは、比較的高電圧源に結合されることを特徴とする請求項８に記載の方法。
【請求項１１】
各電圧プルダウンデバイスは、比較的低電圧源に結合されることを特徴とする請求項８に記載の方法。
【請求項１２】
前記複数のインバータそれぞれは、電圧利得を提供することを特徴とする請求項７に記載の方法。
【請求項１３】
反射表示画素を充電するための回路であって、
データ信号からエレクトロクロミック画素を選択的に絶縁するための手段と、
前記データ信号をサンプリングするための手段と、
駆動電位を生成するために前記データ信号を増幅するための手段とを備え、
前記回路は、前記エレクトロクロミック画素上で前記駆動電位を維持することを特徴とする回路。
【請求項１４】
前記反射表示画素は、エレクトロクロミック画素であることを特徴とする請求項１３に記載の回路。
【請求項１５】
アクティブマトリクス反射表示デバイスにおける画素を充電するための回路であって、前記アクティブマトリクスは、選択ラインおよびデータラインを備え、前記回路は、
前記選択ラインと前記データラインとの間の電圧差が、所定の閾値より高いときに、前記画素を選択するためのスイッチと、
前記データラインによって供給されるデータ信号を格納するためのコンデンサと、
前記コンデンサに格納された前記データ信号を増幅するための複数のインバータとを備え、
前記電圧差が前記所定の閾値より高くないとき、前記スイッチは、前記コンデンサを前記データラインから絶縁することを特徴とする回路。
【請求項１６】
前記画素は、エレクトロクロミック画素であることを特徴とする請求項１５に記載の回路。
【請求項１７】
前記スイッチは、
第１のトランジスタを備え、前記第１のトランジスタのソースは、前記データラインに結合され、前記第１のトランジスタのゲートは、前記選択ラインに結合され、かつ前記第１のトランジスタのドレインは、前記コンデンサに結合されることを特徴とする請求項１５に記載の回路。
【請求項１８】
前記スイッチは、さらに、
第２のトランジスタを備え、前記第２のトランジスタのソースは、画素電極に結合され、前記第２のトランジスタのドレインは、前記コンデンサに結合され、かつ前記第２のトランジスタのゲートは、前記選択ラインに結合されることを特徴とする請求項１７に記載の回路。
【請求項１９】
前記複数のインバータそれぞれは、さらに、
比較的高電圧源に結合されるソースを有するプルアップデバイスと、
比較的低電圧源に結合されるソースを有するプルダウンデバイスとを備えることを特徴とする請求項１５に記載の回路。
【請求項２０】
前記複数のインバータそれぞれは、さらに、
比較的高電圧源に結合されるソースを有するｐ型トランジスタと、
比較的低電圧源に結合されるソースを有するｎ型トランジスタとを備えることを特徴とする請求項１５に記載の回路。
【発明の詳細な説明】
【技術分野】
【０００１】
本発明は、概して反射表示デバイス、特に電気化学表示器デバイスを駆動するための回路に関する。
【背景技術】
【０００２】
反射表示デバイスは、今日の典型的な表示器デバイスとは根本的に異なる。反射表示デバイスは、入射光を反射し、一方典型的な表示器デバイスは、光源を選択的に覆う。典型的な表示器デバイスは、陰極線管（ＣＲＴ）、液晶表示器（ＬＣＤ）、およびプラズマ表示器を含む。典型的な表示器デバイスのこれら全ての例において、光源は、像を生成するために選択的に覆われまたは着色される。一方、反射表示器は、像を生成するために入射光を選択的に反射する。反射表示器の例は、エレクトロクロミック（ｅｌｅｃｔｒｏｃｈｒｏｍｉｃ）表示器、電気泳動（ｅｌｅｃｔｒｏｐｈｏｒｅｔｉｃ）表示器、電気濡れ（ｅｌｅｃｔｒｏｗｅｔｔｉｎｇ）表示器、誘電泳動（ｄｉｅｌｅｃｔｒｏｐｈｏｒｅｓｉｓ）表示器、および異方性回転ボール（ａｎｉｓｏｔｒｏｐｉｃａｌｌｙ  ｒｏｔａｔｉｎｇ  ｂａｌｌ）表示器を含む。反射表示器は、バックライトを必要とせず、優れたコントラスト比を生成し、かつ屋外などの明るい周囲光において容易に視認可能である。
【０００３】
エレクトロクロミック化合物は、電子を得るまたは失うときに、可逆の色変化を示す。エレクトロクロミック化合物の固有の特性を活用する単一セグメント（ｓｉｎｇｌｅ  ｓｅｇｍｅｎｔ）のエレクトロクロミックデバイスは、大面積静的表示器（ｓｔａｔｉｃ  ｄｉｓｐｌａｙ）および自動調光ミラー（ｄｉｍｍｉｎｇ  ｍｉｒｒｏｒ）に応用され、良く知れられている。複数セグメントのエレクトロクロミック表示器デバイスは、エレクトロクロミック化合物を含む制御された領域を通過する選択的な変調光によって像を生成する。多数の制御されたエレクトロクロミック領域は、高解像度の像を集合的に生成するために、画素（ｐｉｘｅｌ）として個別に機能することができる。典型的には、これらの表示器デバイスは、エレクトロクロミック化合物の下側に反射層を含み、各観察者にエレクトロクロミック領域を超えて通過することができる光を反射する。簡単に言えば、エレクトロクロミック画素が、光を遮断するか、または光が下側にある反射層を通過することを可能にするシャッタとして作用する。
【０００４】
図１に示される典型的な従来技術のエレクトロクロミック表示器デバイス１０は、典型的にはガラスまたはプラスチックであり、透明導体層２０を支持するベース基板１０を含み、透明導体層２０は、例えば、フッ素がドープされた酸化錫（ＦＴＯ）またはインジウムがドープされた酸化錫（ＩＴＯ）の層であり得る。ナノ多孔性のナノ結晶半導体薄膜（ｎａｎｏｐｏｒｏｕｓ−ｎａｎｏｃｒｙｓｔａｌｌｉｎｅ  ｓｅｍｉ−ｃｏｎｄｕｃｔｉｎｇ  ｆｉｌｍ）３０（以降、単にナノ構造化薄膜（ｎａｎｏ−ｓｔｒｕｃｔｕｒｅｄ  ｆｉｌｍ）３０と称する）が、透明導体２０上に、好ましくは有機結合剤を用いるスクリーン印刷を用いて堆積される。ナノ構造化薄膜は、典型的には、アンチモン酸化錫（ＡＴＯ）などのドープされた金属酸化物である。任意選択で、酸化還元反応促進化合物（ｒｅｄｏｘ  ｒｅａｃｔｉｏｎ  ｐｒｏｍｏｔｅｒ  ｃｏｍｐｏｕｎｄ）が、ナノ構造化薄膜３０上に吸着される。典型的には白色二酸化チタン（ｗｈｉｔｅ  ｔｉｔａｎｉｕｍ  ｄｉｏｘｉｄｅ）（ＴｉＯ2）であるイオン透過可能な反射層４０が、好ましくは有機結合剤を用いてスクリーン印刷し、その後で焼結することにより、ナノ構造化薄膜３０上に任意選択で堆積される。
【０００５】
透明である第２の基板５０は、ＦＴＯまたはＩＴＯの層であり得る透明導体層６０を支持する。吸着された酸化還元発色団（ｒｅｄｏｘ  ｃｈｒｏｍｏｐｈｏｒｅ）７５、典型的には４、４’−ビピリジニウム誘導体化合物（４、４’−ｂｉｐｙｒｉｄｉｎｉｕｍ  ｄｅｒｉｖａｔｉｖｅ  ｃｏｍｐｏｕｎｄ）を有するナノ構造化薄膜７０は、溶液からの自己組織化された（ｓｅｌｆ−ａｓｓｅｍｂｌｅｄ）単層堆積（ｍｏｎｏ−ｌａｙｅｒ  ｄｅｐｏｓｉｔｉｏｎ）を用いて、透明導体６０上に堆積される。
【０００６】
ベース基板１０および第２の基板５０は、次に、イオン透過可能な反射層４０と、吸着された酸化還元発色団７５を有するナノ構造化薄膜７０との間に配置される電解液８０とともに組み立てられる。カソード電極９０およびアノード電極１００に印加される電位は、吸着された酸化還元発色団７５を還元し、それによって色変化を生成する。電位の極性を反転すると、色変化が反転する。酸化還元発色団７５が、還元された状態でほぼ黒色または非常に深い紫色であるとき、観察者１１０は、ほぼ黒色または非常に深い紫色を視認する。酸化還元発色団７５が、酸化された状態にありほぼ透明であるとき、観察者１１０は、ほぼ白色であるイオン透過可能な反射層４０の反射された光を視認する。このように、黒色および白色表示器は、観察者１１０によって認識される。
【０００７】
上述されたものなどエレクトロクロミック表示器デバイスは、参照によって本明細書に組み込まれる、いずれもＦｉｔｚｍａｕｒｉｃｅらへの特許文献１および特許文献２に非常に詳細に記載される。
【０００８】
図１に示されるエレクトロクロミック表示器１０は、個別の像要素（すなわち、画素Ａ、ＢおよびＣ）を有する画素化された（ｐｉｘｉｌａｔｅｄ）表示器である。各画素Ａ、ＢおよびＣに印加される電位は、透明導電層６０内の専用のルーティングトラック（ｒｏｕｔｉｎｇ  ｔｒａｃｋ）によって提供される。各画素Ａ、ＢおよびＣは、したがって、直接駆動される。画素Ａに印加される電圧は、画素ＢまたはＣを妨げない。高解像度像を表示できる大きなエレクトロクロミック表示器を生成するために、多数の画素が必要であり、したがって多数の直接駆動ルーティングトラックが必要である。数百万の画素を有する典型的なコンピュータモニタのために、数百万の直接駆動ルーティングトラックを製造することは実際的でない。
【０００９】
各画素に独自の直接駆動ルーティングトラックを提供する複雑性を低減するために、アクティブマトリクスを使用されることができる。アクティブマトリクスにおいて、各画素は、全ての他の画素から各画素を電気的に絶縁するために、かつ各画素のマトリクスアドレス指定（ｍａｔｒｉｘ  ａｄｄｒｅｓｓｉｎｇ）のためにアクティブ構成要素を有する。図２Ａは、行Ｒ1・・・Ｒ4および列Ｃ1・・・Ｃ7にアドレス指定される複数の画素を制御するためのアクティブマトリクス２００の概略図示である。多数のアクティブデバイス２１０、典型的にはトランジスタが、各行および列の交差部に配置される。図２Ａおよび図２Ｂを参照すると、各アクティブデバイス２１０は、ゲート電極２２０、ソース電極２３０、およびドレイン電極２４０を含む。各画素２６０のカソード２５０は、アクティブデバイス２１０のドレイン電極２４０に電気的に接続される。画素２６０のアノード２７０は、全ての画素にわたって共通に接続される。
【００１０】
所望の画素２６０、例えば行Ｒ2および列Ｃ2の交差部の画素２６０にデータを書き込むために、行信号が、アクティブデバイス２１０を活性化するように行Ｒ2に印加され、一方、異なる行信号が、全ての他の行（すなわち、行Ｒ1、Ｒ3およびＲ4）に印加され、これら行におけるアクティブデバイス２１０が不活性に維持されることを確実にする。列信号が、次に、画素２１０にデータを書き込むために列Ｃ2に印加される。典型的には、画素の全体の行は、同時に選択された行における各画素にデータを書き込むことによって同時に更新される。このように、多数の高密度の画素を、各画素の電気的な絶縁を維持しながら、個別に制御されることができる。
【００１１】
典型的には、アクティブマトリクスは、薄膜トランジスタ（ＴＦＴ）から構成される。ＴＦＴの製造は、従来技術で良く知られており、絶縁基板上への不透明な金属層の堆積を含む。したがって、ＴＦＴは、透明でも半透明でもない。さらに、上述の種類のエレクトロクロミック表示器における最適な切り替え時間および性能を達成するために、各ＴＦＴのドレインは、表示器のカソード側（すなわち、吸着されたビオロゲン（ｖｉｏｌｏｇｅｎ）を有するナノ構造化薄膜を含む側）になければならない。したがって、エレクトロクロミック表示器１０における画素Ａ、ＢおよびＣのアクティブ制御を達成することは、観察者１００に対して表示器の前面に不透明なＴＦＴを配置することを必要とする。これは、不透明なＴＦＴが、表示器の反射率を減らし、画素開口を低減し、かつ表示器のコントラスト比および見掛けの輝度（ａｐｐａｒｅｎｔ  ｂｒｉｇｈｔｎｅｓｓ）に悪影響を及ぼすので不利である。
【００１２】
画素開口を低減することに加えて、従来技術のエレクトロクロミックデバイス駆動回路は、エレクトロクロミック画素の低速の切り替え時間を生成し、複数レベルの着色を提供する能力を欠き、かつ画素を最初に白くする（ｂｌｅａｃｈｉｎｇ）ことなく、エレクトロクロミック画素を駆動することができない。典型的には、従来技術の駆動回路は、単一の直流電位によって給電される。したがって、駆動回路は、中間電圧を提供する能力なしに画素にオンまたはオフ信号を単に提供する。従来技術の駆動回路は、瞬間的な画素状態および駆動回路における不均一性を補償する能力も欠く。
【先行技術文献】
【特許文献】
【００１３】
【特許文献１】米国特許第６３０１０３８号明細書
【特許文献２】米国特許第６８７０６５７号明細書
【非特許文献】
【００１４】
【非特許文献１】Solar Energy Materials and Solar Cells、57、(1999)、107〜125
【発明の概要】
【発明が解決しようとする課題】
【００１５】
したがって、上記欠点を解消するアクティブマトリクス反射表示器のための駆動回路が望まれている。
【課題を解決するための手段】
【００１６】
本発明は、反射表示デバイス、特にエレクトロクロミックデバイスで使用する駆動回路である。好ましい実施形態において、エレクトロクロミック表示器デバイスは、画素化されたアクティブマトリクスデバイスである。本発明の回路は、サンプリングコンデンサおよび複数のインバータを含む。このサンプリング回路は、迅速にデータ電圧を格納する。アクティブマトリクスにおける複数のエレクトロクロミック画素のアドレス指定は、それによって加速される。複数のインバータは、エレクトロクロミック画素を格納されたデータ電圧に迅速に駆動するために、比較的高電源および低電源に結合される。本発明の回路は、アクティブマトリクスにおけるエレクトロクロミック画素の迅速なリフレッシュを可能にし、かつエレクトロクロミック画素を白くするかつ再充電することなく色勾配（ｃｏｌｏｒ  ｇｒａｄｉｅｎｔ）を達成する。
【００１７】
本発明のより詳細な理解は、例として与えられかつ添付の図面に関連して理解されるべき以下の説明からもたらされ得る。
【図面の簡単な説明】
【００１８】
【図１】直接駆動の従来技術のエレクトロクロミック表示器デバイスである。
【図２Ａ】表示器デバイスにおける複数の画素を制御するためのアクティブマトリクスの概略図示である。
【図２Ｂ】図２Ａのアクティブマトリクスの単一のアクティブ要素の概略図示である。
【図３】本発明の好ましい実施形態による電圧フィードバック回路の概略図である。
【図４】反射絶縁層および本発明の好ましい実施形態による図３の電圧フィードバック回路を備えるアクティブマトリクスエレクトロクロミック表示器デバイスである。
【発明を実施するための形態】
【００１９】
図３を参照すると、本発明による従来技術の欠点を解消するための回路３００が示される。回路３００は、スイッチ３１０、サンプリングコンデンサ３２０、および複数のインバータ３３０を含み、エレクトロクロミック画素３４０に結合される。好ましい実施形態において、回路３００は、Ｖselect電極およびＶdata電極のマトリクスの交差部に配置される。しかしながら、回路３００は、セグメント化された（ｓｅｇｍｅｎｔｅｄ）直接駆動エレクトロクロミックデバイスで使用されることもできることに留意されたい。
【００２０】
回路３００は、サンプリングコンデンサを使用し、それによって、その結合されるエレクトロクロミック画素３４０が選択されたとき、データ電圧が回路にプログラムされることを可能にする。次いでエレクトロクロミック画素３４０を、それが選択されず、かつ表示デバイスの残りの画素がアドレス指定される間に充電することができる。これは、表示器全体が、従来技術で以前に達成されたより非常に速いリフレッシュ速度で更新されることを可能にする。
【００２１】
所定のエレクトロクロミック画素３４０をアドレス指定するために、マトリクスの選択電極３５５が選択される。所定のエレクトロクロミック画素３４０にデータを書き込むために、データ電極３５５が、エレクトロクロミック画素３４０にデータ電圧Ｖdataを提供する。ｎ型トランジスタであるトランジスタＭ1での電圧差は、トランジスタＭ1を切り替える。したがって、ノード１は、Ｖdataのデータ電圧で充電される。サンプリングコンデンサ３２０であるＣ1は、同様にデータ電圧Ｖdataに充電される。
【００２２】
アドレス指定フェーズの間、トランジスタＭ3は、オンに切り替えられかつ導通し、それによって、高電圧源Ｖhiと低電圧源Ｖlowとの間の準安定状態で、インバータ３３０（すなわちトランジスタＭ4およびＭ5）の第１段階を保持する。トランジスタＭ2は、行アドレス期間の間にオフであり、それによって、エレクトロクロミック画素３４０をノード１から絶縁する。
【００２３】
選択電極３５０が選択されていないとき、ノード１は、データ電極３５５から絶縁されるようになり、次にトランジスタＭ2を介してエレクトロクロミック画素３４０に結合される。エレクトロクロミック画素３４０の容量が、コンデンサＣ2の容量より非常に大きいように、コンデンサＣ2が選択される。したがって、ノード１での電圧は、エレクトロクロミック画素３４０に格納される電圧にほぼ等しい。トランジスタＭ3は、第１のインバータ（すなわちＭ4およびＭ5）の入力および出力にもはや結合されず、ノード１での電圧変化は、Ｃ2を介して第１のインバータ（すなわちＭ4およびＭ5）の入力に結合される。第１のインバータ（すなわちＭ4およびＭ5）および第２のインバータ（すなわちＭ6およびＭ7）は、第３のインバータ（すなわちＭ8およびＭ9）が飽和に駆動されるように、結合される信号への電圧利得を加える。飽和に駆動される第３のインバータの特定のトランジスタであるＭ8またはＭ9は、Ｖdata（ｔ−１）とＶdata（ｔ）との間の電圧差に応じ、ここでｔは、所定の時間サンプルである。
【００２４】
高電圧源Ｖhiおよび低電圧源Ｖlowは、好ましくは、エレクトロクロミック画素の典型的な駆動電圧に対して比較的高電圧源および低電圧源である。第３のインバータが、適切な電圧で飽和に駆動されるとき、エレクトロクロミック画素３４０は、画素３４０をＶdataで直接単に充電するより速い速度で充電される。
【００２５】
エレクトロクロミック画素３４０での電圧は変化するので、変化は、コンデンサＣ2を介して第１のインバータ（すなわちＭ4およびＭ5）の入力に結合され、それを、その元の準安定ポイントに向かって戻させる。第２のインバータ（すなわちＭ6およびＭ7）および第３のインバータ（すなわちＭ8およびＭ9）の入力は、また順安定電圧ポイントに強制される。エレクトロクロミック画素３４０の作動電圧範囲が、準安定電圧に比較的近い場合に、回路の静的安定位置が、最小の静的電力消費を確実にする。
【００２６】
エレクトロクロミック画素３４０での最終状態が、トランジスタＭ1からＭ9の閾値および移動度に無関係であるので、トランジスタ不均一性のために、回路３００は、像アーチファクト（ｉｍａｇｅ  ａｒｔｉｆａｃｔ）を最小化する。回路３００のフィードバックループ設計は、所望の電圧レベルが画素３４０の電極に到達するとき、インバータ３３０がエレクトロクロミック画素３４０を充電することを停止させる。
【００２７】
好ましくは、非アドレス指定期間の間、例えばエレクトロクロミック画素３４０が双安定モードであるとき、高電圧源Ｖhiおよび低電圧源Ｖlowは、準安定電圧にされ、それによって電力消費を最小化する。好ましい実施形態において、準安定電圧は、ゼロ（０）ボルトであるように選択される。
【００２８】
エレクトロクロミック画素３４０に書き込まれるべきデータが、所定の時間期間にわたって変化しない場合に、電圧は、コンデンサＣ2を介して結合されず、回路３００は、静的なままである。このシナリオにおいて、従来技術の駆動回路で必要なように、白くする段階または電力を消費する充電は必要ない。
【００２９】
好ましくは、ｎ型およびｐ型トランジスタＭ1からＭ9の閾値電圧は、平均動作ポイントの周りで非対称である。この実施形態では、回路における静的電力消費を最小化するエレクトロクロミック画素３４０のための新規な動作電圧範囲を選択することができる。他の実施形態では、電圧がノード１で格納されるとき、コンデンサＣ1が全く省略される。
【００３０】
駆動スキーム（ｄｒｉｖｉｎｇ  ｓｃｈｅｍｅ）の一部として、トランジスタＭ3の電荷注入を、電圧信号Ｖdataに電圧オフセットを組み込むことによって説明することができる。この原理は、Ｍ1の切り替えから任意の電荷注入の影響を調整するために使用することもできる。これらの技術は、サンプリングコンデンサＣ1の必要な寸法を低減することを助長する。この電圧オフセットは、好ましくは、ガンマ調整回路、またはそうでなければ駆動信号経路で実施される。
【００３１】
回路３００の動作の基本原理を維持しながら、Ｐ型およびＮ型トランジスタが、交換可能であり得ることに留意されたい。ｎ型だけまたはｐ型だけのデバイスを用いる実施が使用されてもよい。好ましくは、トランジスタは、集合的に相補的な金属酸化物半導体電界効果（ＣＭＯＳ）ＴＦＴとして知られている、ｎチャネルの金属酸化物半導体電界効果（ＮＭＯＳ）ＴＦＴとｐチャネルの金属酸化物半導体電界効果（ＰＭＯＳ）ＴＦＴの組合せである。代わりに、有機ＴＦＴ、または任意の他の種類のアクティブデバイスが使用され得る。コンデンサおよびトランジスタの不均一性は、エレクトロクロミック画素３４０を充電するために必要な時間が、画素毎にわずかに異なることを意味する。しかしながら、最小の充電時間およびトランジスタ寸法は、製造による最小トランジスタ性能に応じて特定することができる。したがって、最小の許容可能な性能は、所定のリフレッシュ期間で保証される。
【００３２】
代わりの実施形態において、追加のトランジスタ（図示せず）が、第１のインバータ３３０の入力および出力に追加される。この追加のトランジスタは、好ましくはＰ型トランジスタであり、トランジスタＭ3の切り替えに起因する電荷注入を妨害することを助長する。追加のトランジスタは、選択電極３５０の反転信号に結合されるゲート信号を含む。
【００３３】
好ましい実施形態において、図４を参照すると、背面基板４１０上に堆積された本発明による複数の駆動回路４０５を備えるアクティブマトリクスエレクトロクロミックデバイス４００が示される。エレクトロクロミック表示器４００が、純粋に例示目的で４つの画素Ｄ、Ｅ、ＦおよびＧを含むことに留意されたい。各画素Ｄ、Ｅ、ＦおよびＧは、その画素を駆動するための駆動回路３０５をそれぞれ有する。背面基板４１０は、好ましくはガラスであるが、駆動回路４０５およびエレクトロクロミック表示器４００を備える以降の層を支持することができる任意の材料であり得る。例えば、背面基板４１０は、プラスチック、木材、皮、様々な組成物の織物、金属などの材料を含むことができる。したがって、これらの材料は、剛性または可撓性であり得る。
【００３４】
絶縁層４１５が、駆動回路４０５上に堆積される。絶縁層４１５は、電解液４２０に実質的に不浸透性であり、それによって、駆動回路４０５を電解液４２０の可能性がある腐食効果から保護する。好ましくは、絶縁層４１５は、スピンコートされたガラスまたはポリイミドなどのポリマーである。絶縁層４１５は、単一のモノリシック層であることができ、またはそれは、所望の三次元構造を達成するために所望の特性を有する、同一または異なる材料の複数の層を備えることができる。好ましい実施形態において、絶縁層４１５は反射性である。絶縁層４１５の反射特性は、層を備える材料に固有であってもよく、または反射性粒子が、絶縁層４１５に散在されてもよい。
【００３５】
ビア（ｖｉａ）として従来技術で知られている動作可能な接続部４２５は、駆動回路４０５を導体４３０に電気的に接続するために絶縁層に設けられる。好ましくは、動作可能な接続部４２５は、当業者に良く知られているフォトリソグラフィ技術を介して生成される。各動作可能な接続部またはビア４２５は、絶縁層４１５を通してほぼ上方に延在し、それぞれの導体４３０と電気接触し、導体４３０は、好ましくは、絶縁層４１５内に形成されまたはエッチングされた複数のウエル（ｗｅｌｌ）４３５の底部および側部を覆う。動作可能な接続部４２５（すなわちビア）および導体４３０は、好ましくは両方とも透明であり、好ましくはＦＴＯ、ＩＴＯまたは導電ポリマーである。
【００３６】
ウエル４３５は、好ましくはフォトリソグラフィ技術を使用して絶縁層４１５にエッチングされる。代わりに、ウエル４３５は、堆積された平坦な薄膜に機械的にエンボス加工することによって、ウエル４３５を規定する事前形成されたワッフルタイプの構造を含む薄膜を加えることによって形成される。
【００３７】
仕切り（ｐａｒｔｉｔｉｏｎ）４４０は、各ウエル４３５の電気的絶縁を維持し、またウエル４３５が、インクジェット堆積された材料のためのレセプタクル（ｒｅｃｅｐｔａｃｌｅ）として作用することを可能にする。仕切り４４０は、エレクトロクロミックデバイス４００のカソード４４５とアノード４５０との間のスペーサとしてさらに作用することができ、電解液４２０を介する画素間のイオンのクロストーク（ｉｏｎｉｃ  ｃｒｏｓｓｔａｌｋ）を低減するように作用する。仕切り４４０は、各ウエル４３５間の見える境界の目的をさらに果たし、各ウエル４３５の最適な外観を達成するために所望の寸法にされ得る。仕切りは、ウエル４３５のほぼ上方にかなり延在して示されているが、それらは、代わりにウエル４３５の頂部とほぼ同一面であることができることに留意すべきである。
【００３８】
吸着された電子発色団を有する半導体層４６０は、導体４３０上に堆積される。好ましくは、半導体層４６０は、前述されたナノ構造化された金属酸化物半導体薄膜である。半導体金属酸化物は、例えば、チタン、ジルコニウム、ハフニウム、クロム、モリブデン、タングステン、バナジウム、ニオブ、タンタル、銀、亜鉛、ストロンチウム、鉄（Ｆｅ2+またはＦｅ3+）、またはニッケル、あるいはそれらのペロブスカイトなどの任意の適切な金属の酸化物であり得る。ＴｉＯ2、ＷＯ3、ＭｏＯ3、ＺｎＯ、およびＳｎＯ2が、特に好ましい。最も好ましくは、ナノ構造化された薄膜は、二酸化チタン（ＴｉＯ2）であり、吸着された電子発色団は、一般式Ｉ〜ＩＩＩの化合物である。
【００３９】
【化１】
2010518456.tif 000003
【００４０】
Ｒ1は、以下のいずれかから選択される。
【００４１】
【化２】
2010518456.tif 000004
【００４２】
Ｒ2は、Ｃ1-10アルキル、Ｎ酸化物、ジメチルアミノ、アセトニトリル、ベンジル、フェニル、ニトロによってモノまたはジ置換されたベンジル、ニトロによってモノまたはジ置換されたフェニルから選択される。Ｒ3は、Ｃ1-10アルキルであり、Ｒ4、Ｒ5、Ｒ6およびＲ7は、水素、Ｃ1-10アルキル、Ｃ1Ｎ0アルキレン、アリルまたは置換されたアリル、ハロゲン、ニトロ、およびアルコール基からそれぞれ無関係に選択される。Ｘは、電荷平衡イオンであり、ｎ＝１〜１０である。
【００４３】
式Ｉ〜ＩＩＩの化合物は、良く知られており、その全体が参照によって本明細書に組み込まれる非特許文献１に記載されるように調製され得る。好ましい実施形態において、吸着された電子発色団は、ビス−（２−フォスフォノエチル）−４，４’−ビピリジニウム二塩化物である。
【００４４】
代わりの実施形態において、反射絶縁層４１５は、各画素Ｄ、Ｅ、ＦおよびＧ透明導体４３０のほぼ平坦な電気絶縁体であることができ、半導体層４６０は、空間的な分離、追加の絶縁層、または他の絶縁手段によって達成される。駆動回路４０５への電解液４２０の腐食効果は、この代わりの構成における絶縁層４１５によってまだ妨げられる。任意選択で、選択的に寸法決定されたスペーサビード４５５を、カソード４４５とアノード４５０との間の所望の間隔を維持するために使用することができる。
【００４５】
実質的に透明である前面基板４６５は、実質的な透明導体４７０を支持する。基板４６５は、ガラスまたはプラスチックなどの任意の適切な透明材料であり得る。材料は、剛性または可撓性であり得る。ＦＴＯ、ＩＴＯ、または任意の他の適切な透明導体が、透明導体４７０に使用されてもよい。
【００４６】
半導体層４７５が、透明導体４７０上に堆積される。好ましくは、半導体層４７５は、ＳｂがドープされたＳｎＯ2を含むナノ構造化された金属酸化物半導体薄膜である。代わりの実施形態において、半導体層４７５は、カソード４４５の半導体層４６０に吸着されたエレクトロクロミック化合物の酸化および還元を助長するための、吸着された酸化還元促進物を含む。
【００４７】
エレクトロクロミック表示器４００は、カソード電極４４５上にアノード電極４５０を配置することによって組み立てられ、２つの電極４４５、４５０が接触しないことを確実にする。好ましくは、可撓性シールが、周囲の周りに形成され、電極４４５、４５０が接触しないことを確実にする。代わりに、カソード電極４４５とアノード電極４５０の物理的分離が、本明細書に記載されるように、第１に堆積したスペーサビード４５５または他のスペーサ構造によって確実にされ得る。絶縁層４１５上に形成された仕切り４４０は、カソード電極４４５とアノード電極４５０との間の分離を維持するように作用することもできる。アノード電極４５０が、画素Ｄ、Ｅ、ＦおよびＧの全面積を覆い、かつ画素Ｄ、Ｅ、ＦおよびＧの面積に対応する個別面積にセグメント化されないことに留意すべきである。電解液４２０は、好ましくは真空チャンバ内でのバックフィリング（ｂａｃｋ−ｆｉｌｌｉｎｇ）によって、電極４４５、４５０間に設けられる。
【００４８】
カソード電極４４５およびアノード電極４５０に印加される電位は、吸着された電子発色団を有する半導体層４６０における電子の流れを引き起こす。酸化および還元時に、吸着された電子発色団は色を変化させる。好ましくは、吸着された電子発色団は、還元された状態で実質的に黒色であり、酸化された状態でほぼ透明である。観察者４８０は、ほぼ黒色の画素として還元され吸着された電子発色団を含む画素を視認する。観察者４８０は、下にある反射絶縁層４１５の色として、酸化され吸着された電子発色団（すなわち、透明の吸着された電子発色団）を含む画素を視認する。このように、アクティブマトリクスエレクトロクロミック表示器が認識される。
【００４９】
代わりに、各ウエル４３５は、異なる色特性を示す吸着された電子発色団を有する半導体層４６０を含み得る。例えば、還元された状態で赤色、緑色、および青色に見え、かつ酸化された状態で透明に見える吸着された電子発色団が使用され得る。この代わりの実施形態において、反射絶縁層４１５は、好ましくは白色である。各画素に電位を選択して印加することによって、各画素Ｄ、Ｅ、ＦおよびＧの外観は、電子発色団の着色された状態と、下の反射絶縁層４１５の色との間で切り替えられることができる。
【００５０】
上述の実施形態は、エレクトロクロミック表示器デバイスと組み合わせて記載されたが、これは単に例示である。発明の駆動回路は、電気泳動表示器、電気濡れ表示器、誘電泳動表示器、異方性回転ボール表示器、および他の種類の反射表示デバイスなどの、任意の種類の反射表示デバイスで使用され得る。
【００５１】
本発明の特徴および要素は、特定の組合せで好ましい実施形態で記載されたが、各特徴または要素は、好ましい実施形態の他の特徴および要素なしに単独に使用されてもよく、または本発明の他の特徴および要素との様々な組合せで、あるいは本発明の他の特徴および要素なしに使用されてもよい。
【図１】
2010518456.tif 000005
【図２Ａ】
2010518456.tif 000006
【図２Ｂ】
2010518456.tif 000007
【図３】
2010518456.tif 000008
【図４】
2010518456.tif 000009
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
反射表示画素を充電する方法であって、
アドレス指定フェーズの開始に応答してデータラインから前記反射表示画素を電気的に絶縁することと、
前記データラインから受けたデータ信号を格納することと、
前記アドレス指定フェーズの完了に応答して前記格納されたデータ信号に前記反射表示画素を結合することと、
駆動信号を生成するために前記データ信号を増幅することと、
前記駆動信号を前記反射表示画素に印加することと、
前記反射表示画素の電位が前記格納されたデータ信号と等しくなるように、前記反射表示画素の電位をフィードバックすることとを含むことを特徴とする方法。
【請求項２】
前記反射表示画素は、エレクトロクロミック画素であることを特徴とする請求項１に記載の方法。
【請求項３】
前記エレクトロクロミック画素は、アクティブマトリクスエレクトロクロミックデバイスに含まれることを特徴とする請求項２に記載の方法。
【請求項４】
前記エレクトロクロミック画素は、トランジスタを用いて前記アクティブマトリクスから電気的に絶縁されることを特徴とする請求項３に記載の方法。
【請求項５】
前記データ信号は、コンデンサに格納されることを特徴とする請求項１に記載の方法。
【請求項６】
前記データ信号は、前記駆動信号を生成するために複数のインバータによって増幅されることを特徴とする請求項１に記載の方法。
【請求項７】
反射表示画素を充電するための回路であって、
アドレス指定フェーズの開始に応答してデータ信号から前記反射表示画素を選択的に絶縁するための手段と、
前記データ信号をサンプリングするための手段と、
前記アドレス指定フェーズの完了に応答して前記データ信号をサンプリングするための前記手段に前記反射表示画素を結合するための手段と、
駆動電位を生成するために前記データ信号を増幅するための手段と、
前記反射表示画素に前記駆動電位を印加するための手段と、
前記反射表示器の電位が前記サンプリングされたデータ信号と等しくなるように、前記反射表示画素の電位をフィードバックするための手段とを備えることを特徴とする回路。
【請求項８】
前記反射表示画素は、エレクトロクロミック画素であることを特徴とする請求項７に記載の回路。
【請求項９】
データ信号から前記反射表示画素を選択的に絶縁するための前記手段は、
第１のトランジスタを備え、前記第１のトランジスタのソースは、前記データラインに結合され、前記第１のトランジスタのゲートは、選択ラインに結合され、かつ前記第１のトランジスタのドレインは、コンデンサに結合されることを特徴とする請求項７に記載の回路。
【請求項１０】
データ信号から前記反射表示画素を選択的に絶縁するための前記手段は、さらに、
第２のトランジスタを備え、前記第２のトランジスタのソースは、前記反射表示画素の電極に結合され、前記第２のトランジスタのドレインは、前記コンデンサに結合され、かつ前記第２のトランジスタのゲートは、前記選択ラインに結合されることを特徴とする請求項９に記載の回路。
【請求項１１】
データ信号から前記反射表示画素を選択的に絶縁するための前記手段は、さらに、
第３のトランジスタを備え、前記第３のトランジスタのソースは、前記コンデンサに結合され、前記第２のトランジスタのドレインは、駆動電位を生成するために前記データ信号を増幅するための手段の出力に結合され、かつ前記第３のトランジスタのゲートは、前記選択ラインに結合されることを特徴とする請求項１０に記載の回路。
【請求項１２】
駆動電位を生成するために前記データ信号を増幅するための前記手段は、
比較的高電圧源に結合されるソースを有するプルアップデバイスと、
比較的低電圧源に結合されるソースを有するプルダウンデバイスとを備えることを特徴とする請求項７に記載の回路。
【請求項１３】
駆動電位を生成するために前記データ信号を増幅するための前記手段は、
比較的高電圧源に結合されるソースを有するｐ型トランジスタと、
比較的低電圧源に結合されるソースを有するｎ型トランジスタとを備えることを特徴とする請求項７に記載の回路。
【国際調査報告】
2010518456.tif 000010
2010518456.tif 000011
2010518456.tif 000012